(57)【特許請求の範囲】
【請求項１】
プリンター本体と、このプリンター本体の側面の内側に設けた傾斜用空間部内において傾斜可能に設けた操作盤と、を有するプリンター用操作盤傾斜装置であって、前記操作盤を前記プリンター本体に対して傾斜可能なように操作盤の端部に設けた操作盤回動軸と、この操作盤回動軸のまわりに前記操作盤を前記側面に対して同一面内に保持することができる同一面内保持機構と、この操作盤回動軸のまわりに前記操作盤を前記側面に対して傾斜状態に保持することができる傾斜状態保持機構と、を有することを特徴とするプリンター用操作盤傾斜装置。
【請求項２】
前記同一面内保持機構は、前記操作盤を前記プリンター本体の外方に付勢する操作盤付勢部材と、前記操作盤に設けるとともに前記プリンター本体に当接するストッパー部材と、を有することを特徴とする請求項１記載のプリンター用操作盤傾斜装置。
【請求項３】
前記傾斜状態保持機構は、前記操作盤を前記傾斜状態に保持する傾斜保持レバーと、この傾斜保持レバーを前記傾斜状態の方向に付勢するレバー付勢部材と、を有することを特徴とする請求項１記載のプリンター用操作盤傾斜装置。
【請求項４】
前記操作盤は、前記プリンター本体の前記側面に取り付けるサイドフレームに回動可能にこれを設けたことを特徴とする請求項１記載のプリンター用操作盤傾斜装置。
【請求項５】
前記サイドフレームと、前記プリンター本体との間に係合機構を設けたことを特徴とする請求項４記載のプリンター用操作盤傾斜装置。
【請求項６】
前記操作盤を前記プリンター本体の外方に付勢する操作盤付勢部材を設けるとともに、この操作盤付勢部材により前記係合機構を係合解除方向に付勢することができるようにしたことを特徴とする請求項５記載のプリンター用操作盤傾斜装置。
【発明の詳細な説明】
【０００１】
【産業上の利用分野】
本発明はプリンター用操作盤傾斜装置にかかるもので、とくにプリンターの操作盤を必要に応じて所定の傾斜角度に保持することができるプリンター用操作盤傾斜装置に関するものである。
【０００２】
【従来の技術】
従来から各種のプリンターにおいて、その操作用の操作盤をプリンター本体における所定の部位に設けているが、プリンター本体の側面部分に当該操作盤を設けた場合には、プリンターの載置場所ないし高さによっては、操作者との相対的な姿勢が変わり、操作盤上の各種スイッチを操作しにくくなる可能性があるという問題がある。
【０００３】
したがって、プリンターの載置場所、高さあるいは使用状況などに応じて、操作盤の姿勢を調整することができれば、操作を行いやすくなるため操作盤を傾斜することができる装置が要請されるに至ったが、その構成を簡素かつ確実にする必要があるという問題がある。
【０００４】
【発明が解決しようとする課題】
本発明は以上のような諸問題にかんがみなされたもので、プリンター用操作盤の傾斜角度を必要に応じて調整することが可能なプリンター用操作盤傾斜装置を提供することを課題とする。
【０００５】
また本発明は、プリンター用操作盤の傾斜角度を必要に応じて変更し、必要がない場合には操作盤の傾斜状態を通常の状態に戻すことができるとともに、こうした傾斜操作を容易に行うことができるプリンター用操作盤傾斜装置を提供することを課題とする。
【０００６】
さらに本発明は、とくにプリンター本体の側面に操作盤を設けた場合に、その傾斜角度を調整可能であるとともに、その後の各種スイッチなどの操作を容易かつスムースにすることができるようにしたプリンター用操作盤傾斜装置を提供することを課題とする。
【０００７】
【課題を解決するための手段】
すなわち本発明は、操作盤を操作盤回動軸まわりに回動傾斜させること、通常状態および傾斜状態というそれぞれの状態を保持することができるようにすることに着目したもので、プリンター本体と、このプリンター本体の側面の内側に設けた傾斜用空間部内において傾斜可能に設けた操作盤と、を有するプリンター用操作盤傾斜装置であって、前記操作盤を前記プリンター本体に対して傾斜可能なように操作盤の端部に設けた操作盤回動軸と、この操作盤回動軸のまわりに前記操作盤を前記側面に対して同一面内に保持することができる同一面内保持機構と、この操作盤回動軸のまわりに前記操作盤を前記側面に対して傾斜状態に保持することができる傾斜状態保持機構と、を有することを特徴とするプリンター用操作盤傾斜装置である。
【０００８】
上記同一面内保持機構は、上記操作盤を上記プリンター本体の外方に付勢するコイルスプリングなどの操作盤付勢部材と、上記操作盤に設けるとともに上記プリンター本体に当接するストッパー部材と、を有することができる。
【０００９】
上記傾斜状態保持機構は、上記操作盤を上記傾斜状態に保持する傾斜保持レバーと、この傾斜保持レバーを上記傾斜状態の方向に付勢するスプリングなどによるレバー付勢部材と、を有することができる。
【００１０】
上記操作盤は、上記プリンター本体の上記側面に取り付けるサイドフレームに回動可能にこれを設けることができる。
【００１１】
上記サイドフレームと、上記プリンター本体との間に係合機構を設けることができる。
【００１２】
上記操作盤を上記プリンター本体の外方に付勢する操作盤付勢部材を設けるとともに、この操作盤付勢部材により上記係合機構を係合解除方向に付勢することができるようにすることができる。
【００１３】
【作用】
本発明によるプリンター用操作盤傾斜装置においては、操作盤をプリンター本体ないしサイドフレームに対して操作盤回動軸まわりに回動傾斜させるとともに、通常状態および傾斜状態をそれぞれ保持することができる同一面内保持機構および傾斜状態保持機構を設けたので、プリンターの使用環境ないし載置場所の高さなどの状況、その他の必要に応じて操作盤を傾斜させることができるため、その操作スイッチなどの操作を容易に行うことができる。
【００１４】
また同一面内保持機構として、コイルスプリングなどの操作盤付勢部材により操作盤をプリンター本体の外方に付勢し、ストッパー部材によりプリンター本体に操作盤を停止させるようにすれば、上記操作盤付勢部材の付勢力に抗して操作盤を外方から内方に押し込むだけで、傾斜状態保持機構に設けたたとえば傾斜保持レバーが操作盤を傾斜状態に保持することとなり、操作盤を簡単に傾斜状態をすることができる。
さらに、傾斜状態から通常状態に戻すときに、傾斜保持レバーを傾斜状態の方向に付勢するスプリングなどによるレバー付勢部材の付勢力に抗してこの傾斜保持レバーを操作するように構成すれば、傾斜保持レバーと操作盤との係合が解除され、上記操作盤付勢部材の付勢力により操作盤が原状（通常状態）に復帰する。
【００１５】
なおまた、プリンター本体の側面に取り付けるサイドフレームに操作盤を回動可能に設け、このサイドフレームとプリンター本体との間に設けた係合機構を係合解除方向に付勢することができるように上記コイルスプリングなどの操作盤付勢部材を設けるように構成すれば、操作盤をプリンター本体の外方に付勢する操作盤付勢部材が、係合機構を係合解除方向に付勢する付勢部材として共用されるようになり、構成を単純化することができる。
【００１６】
【実施例】
つぎに本発明の一実施例によるプリンター用操作盤傾斜装置を図１ないし図５にもとづき説明する。
図１は、プリンター用操作盤傾斜装置を装備した、熱転写プリンター１の全体斜視図であって、熱転写プリンター１は、プリンター本体２と、カバー３と、サイドフレーム４と、サイドフレーム４部分に設けたプリンター用操作盤傾斜装置５と、プリンター本体２に接続してあって印刷データなどを入力するパソコン６と、を有する。
【００１７】
プリンター本体２としては、熱転写印刷形式以外にも任意の構成を採用することができる。
カバー３は、これをプリンター本体２に対して開放可能としてあり、プリンター本体２内部の諸機構の操作を可能としている。
【００１８】
サイドフレーム４は、プリンター用操作盤傾斜装置５とともにプリンター本体２の側面に起立してこれを設け、着脱可能としてあるもので、そのほぼ中央部の矩形状の傾斜用空間部７内において操作盤８を傾斜可能に設けている。
【００１９】
操作盤８の表面には、たとえば、用紙選択スイッチ９、排出カットスイッチ１０、カッタースイッチ１１、フィードスイッチ１２、スタート／ストップスイッチ１３、および表示部１４などを設けてある。
【００２０】
図２は、サイドフレーム４の裏側（プリンター本体２側）から見てプリンター用操作盤傾斜装置５を示した一部省略裏面図、図３は、同、側断面図であって、プリンター用操作盤傾斜装置５は、操作盤８をサイドフレーム４の回動支持フレーム１５に対して回動可能とする操作盤回動軸１６と、同一面内保持機構１７と、傾斜状態保持機構１８と、を有する。
操作盤８の裏面には、制御基盤１９およびコネクター２０を設けてある。
【００２１】
同一面内保持機構１７は、操作盤回動軸１６のまわりに操作盤８をサイドフレーム４（プリンター本体２の側面）に対して同一面状態に保持することができるもので、操作盤回動軸１６に設けたコイルスプリング２１（操作盤付勢部材）と、サイドフレーム４の上縁部に設けた一対のストッパー部材２２とを有する。
【００２２】
コイルスプリング２１は、その操作盤側端部２１Ａを操作盤８に係合するとともに、そのプリンター側端部２１Ｂをプリンター本体２の底面フレーム２３（図３）に係合して、操作盤８をプリンター本体２の外方に付勢するようになっている。
【００２３】
ストッパー部材２２は、操作盤８の上縁部に突出形成したもので、コイルスプリング２１の付勢力によってプリンター本体２（サイドフレーム４の裏面）に当接することにより操作盤８をサイドフレーム４と同一面状態（起立状態）に保持する。
【００２４】
傾斜状態保持機構１８は、操作盤回動軸１６のまわりに操作盤８をサイドフレーム４（プリンター本体２の側面）に対して傾斜状態に保持および解除することができるもので、サイドフレーム４に取り付けたレバー回動軸２４のまわりに回動可能な傾斜保持レバー２５と、引張りスプリング２６（レバー付勢部材）と、を有する。
【００２５】
傾斜保持レバー２５は、レバー回動軸２４に取り付けた回動部２５Ａと、サイドフレーム４の上面部に形成した長窓２７からサイドフレーム４の上方に突出する操作部２５Ｂと、回動部２５Ａに対して直角に突出するとともに先端部をテーパー状とし操作盤８を傾斜状態に保持する傾斜保持部２５Ｃと、を有する。
【００２６】
引張りスプリング２６は、図２中傾斜保持レバー２５を常時時計方向に付勢しており、操作盤８をその表面側から裏面側に押すことにより傾斜用空間部７と操作盤８との間に空間があいたときに、引張りスプリング２６の付勢力を受けて傾斜保持部２５Ｃがサイドフレーム４の傾斜用空間部７と操作盤８との間に入り込むことにより操作盤８の傾斜状態を保持可能とするものである。
【００２７】
したがって、傾斜保持レバー２５における傾斜保持部２５Ｃの幅を適宜選択することにより、操作盤８の傾斜角度を任意に設計することができる。
【００２８】
つぎに、プリンター本体２とサイドフレーム４との係合機構２８について説明する。
係合機構２８は、サイドフレーム４の裏面の左右にそれぞれ設けた一対の鈎の手状の係合片２９と、プリンター本体２において各係合片２９に対応する位置に形成した係合溝３０と、サイドフレーム４の側面の第１のフレーム側係合壁面３１およびプリンター本体２側の第１のプリンター側係合壁面３２と、サイドフレーム４の裏面の第２のフレーム側係合壁面３３およびプリンター本体２側の第２のプリンター側係合壁面３４と、を有する。
【００２９】
鈎の手状の係合片２９と係合溝３０とを係合し、第１のフレーム側係合壁面３１と第１のプリンター側係合壁面３２とを第１のボルト３５により固定し、第２のフレーム側係合壁面３３と第２のプリンター側係合壁面３４とを第２のボルト３６により固定する。
【００３０】
ただし、係合機構２８を係合解除方向に付勢する解除付勢部材として、コイルスプリング２１のプリンター側端部２１Ｂがサイドフレーム４の裏面から所定長さだけ突出し、前述のようにプリンター本体２の底面フレーム２３に当接している。
【００３１】
こうした構成のプリンター用操作盤傾斜装置５において、図４に示すように、操作盤８が通常の起立状態（サイドフレーム４との同一面内状態）から、操作盤８の表面をサイドフレーム４の表面側からプリンター本体２に向かってコイルスプリング２１の付勢力に抗して内方に押すことにより、傾斜用空間部７においてサイドフレーム４と傾斜用空間部７との間に若干の空間をあけることができ、引張りスプリング２６の付勢力によりこの空間に傾斜保持レバー２５の傾斜保持部２５Ｃが入り込むことによって傾斜保持部２５Ｃの幅分だけ操作盤８をサイドフレーム４に対して傾斜することができる（図５も参照）。
【００３２】
したがって、操作盤８がサイドフレーム４（プリンター本体２）に対して傾斜した状態に保持することができ、プリンター本体２がたとえば低い位置に置かれていたとしても、用紙選択スイッチ９からスタート／ストップスイッチ１３までの各種スイッチの操作を行いやすくすることができる。
【００３３】
また、操作盤８の姿勢を通常の同一面状態に戻す場合には、傾斜保持レバー２５の回動部２５Ａを引張りスプリング２６の付勢力に抗して図２中反時計方向に操作すれば、傾斜保持部２５Ｃがサイドフレーム４と操作盤８との間の空間から退き、操作盤８はコイルスプリング２１の付勢力によりもとの起立状態に回動復帰し、ストッパー部材２２がサイドフレーム４の裏面に当接してサイドフレーム４と操作盤８とを同一面状態とする。
【００３４】
さらに、サイドフレーム４をプリンター用操作盤傾斜装置５とともにプリンター本体２から取り外す場合には、第１のボルト３５および第２のボルト３６を外すと、同一面内保持機構１７におけるコイルスプリング２１のプリンター側端部２１Ｂがプリンター本体２の底面フレーム２３に当接しているので、その付勢力により鈎の手状の係合片２９が係合溝３０からわずかに浮き上がり、サイドフレーム４をプリンター本体２から分離、取り外しやすくすることができる。
【００３５】
したがって、サイドフレーム４内の制御基盤１９あるいはコネクター２０などの各種部品の点検あるいは交換作業を迅速に行うことができる。
【００３６】
なお、係合機構２８における解除付勢部材（コイルスプリング２１）は、操作盤８をプリンター本体２の外方に付勢する操作盤付勢部材（コイルスプリング２１）と共用した例を示したが、これを別途の構成としてもよい。
【００３７】
【発明の効果】
以上のように本発明によれば、傾斜状態保持機構により操作盤の傾斜状態を保持し、また同一面内保持機構により起立状態を保持することができるようにしたので、必要に応じて操作盤を傾斜させることが可能となり、プリンター本体における各種スイッチの操作を容易にすることができる。
【００３８】
【図面の簡単な説明】
【図１】本発明の一実施例によるプリンター用操作盤傾斜装置５を装備した、熱転写プリンター１の全体斜視図である。
【図２】同、サイドフレーム４の裏側（プリンター本体２側）から見てプリンター用操作盤傾斜装置５を示した一部省略裏面図である。
【図３】同、側断面図である。
【図４】同、操作盤８を通常の起立状態（サイドフレーム４との同一面内状態）から傾斜状態とした側断面図である。
【図５】同、操作盤８を傾斜状態とした状態の熱転写プリンター１の全体斜視図である。
【符号の説明】
１  熱転写プリンター（図１、図５）
２  プリンター本体
３  カバー
４  サイドフレーム
５  プリンター用操作盤傾斜装置（図２、図３）
６  パソコン
７  傾斜用空間部
８（プリンター用）操作盤
９  用紙選択スイッチ
１０  排出カットスイッチ
１１  カッタースイッチ
１２  フィードスイッチ
１３  スタート／ストップスイッチ
１４  表示部
１５  回動支持フレーム
１６  操作盤回動軸
１７  同一面内保持機構
１８  傾斜状態保持機構
１９  制御基盤
２０  コネクター
２１  コイルスプリング（操作盤付勢部材）
２１Ａ  コイルスプリング２１の操作盤側端部
２１Ｂ  コイルスプリング２１のプリンター側端部
２２  ストッパー部材
２３  プリンター本体２の底面フレーム
２４  レバー回動軸
２５  傾斜保持レバー
２５Ａ  傾斜保持レバー２５の回動部
２５Ｂ  傾斜保持レバー２５の操作部
２５Ｃ  傾斜保持レバー２５の傾斜保持部
２６  引張りスプリング（レバー付勢部材）
２７  長窓
２８  係合機構
２９  鈎の手状の係合片
３０  係合溝
３１  第１のフレーム側係合壁面
３２  第１のプリンター側係合壁面
３３  第２のフレーム側係合壁面
３４  第２のプリンター側係合壁面
３５  第１のボルト
３６  第２のボルト
【図１】
0003682540.tif 000002
【図２】
0003682540.tif 000003
【図３】
0003682540.tif 000004
【図４】
0003682540.tif 000005
【図５】
0003682540.tif 000006